(57)【要約】【課題】局状態情報を監視局装置と二次上位局装置とにおいて適切に同期させる。【解決手段】センサからの信号に基づきデータを収集して上位局に配信する複数の観測局に接続され、上記データを更に上位の局である二次上位局へ配信する監視局装置であって、前記観測局が閉局状態であるか又は開局状態であるかを示す局状態情報を入力するための操作部２５と、前記各観測局の局状態情報を保持し、前記操作部からの入力に基づき保持している局状態情報を変更する局状態情報管理部２３と、前記局状態情報管理部２３が保持している情報に基づき、閉局の観測局からのデータ収集を休止した状態で観測局からデータ収集を行うデータ収集部２１と、前記局状態情報管理部２３が保持している情報が前記操作部２５によって変更されたことを検出すると、変更された観測局の局状態情報を前記二次上位局へ送出する情報連絡部２４とを具備している。【選択図】図２
2010109836.tif 000002
【特許請求の範囲】
【請求項１】
センサからの信号に基づきデータを収集して上位局に配信する複数の観測局に接続され、上記データを更に上位の局である二次上位局へ配信する監視局装置であって、
前記観測局が閉局状態であるか又は開局状態であるかを示す局状態情報を入力するための操作部と、
前記各観測局の局状態情報を保持し、前記操作部からの入力に基づき保持している局状態情報を変更する局状態情報管理部と、
前記局状態情報管理部が保持している情報に基づき、閉局の観測局からのデータ収集を休止した状態で観測局からデータ収集を行うデータ収集部と、
前記局状態情報管理部が保持している情報が前記操作部によって変更されたことを検出すると、変更された観測局の局状態情報を前記二次上位局へ送出する情報連絡部と
を具備していることを特徴とする監視局装置。
【請求項２】
前記情報連絡部は、前記二次上位局から観測局の局状態情報を取得し、この情報に基づき前記局状態情報管理部の情報を変更させることを特徴とする請求項１に記載の監視局装置。
【請求項３】
センサからの信号に基づきデータを収集して配信する複数の観測局と、この観測局に接続され、上記配信されたデータを更に上位の局へ配信する監視局装置と、この監視局装置の上位局である二次上位局とにより構成される情報収集システムの、上記二次上位局に設けられる情報収集装置であって、
前記観測局の局状態情報を入力するための二次上位局用操作部と、
前記各観測局の局状態情報を保持し、前記二次上位局用操作部よって変更されたことを検出すると、変更された観測局の局状態情報を変更する二次上位局用局状態情報管理部と、
前記監視局装置から観測局の局状態情報を取得し、この情報に基づき前記二次上位局用局状態情報管理部における対応観測局の局状態情報を変更させる二次上位局用情報連絡部と
を具備していることを特徴とする二次上位局装置。
【請求項４】
前記二次上位局用情報連絡部は、前記二次上位局用局状態情報管理部が保持している情報が前記二次上位局用操作部によって変更されたことを検出すると、変更された観測局の局状態情報を前記監視局装置へ送出することを特徴とする請求項３に記載の二次上位局装置。
【請求項５】
請求項１又は２に記載の監視局装置と、
請求項３又は４に記載の二次上位局装置と
を具備することを特徴とする情報収集システム。
【発明の詳細な説明】
【技術分野】
【０００１】
この発明は、センサからの信号に基づきデータを収集して配信する複数の観測局と、この観測局に接続され、上記配信されたデータを更に上位の局へ配信する監視局装置と、この監視局装置の上位局である二次上位局とにより構成される情報収集システム、更に、上記監視局装置と上記二次上位局に設けられる二次上位局装置に関するものである。
【背景技術】
【０００２】
情報収集システムである河川情報システムは、雨量、水位等のデータを収集する少なくとも一つのテレメータ観測システムと、テレメータ観測システムからのデータを収集、加工、配信、外部提供する上位局により構成される。また、テレメータ観測システムは、データを観測する少なくとも一つの観測局と無線回線等で接続され観測局のデータを収集する一つの監視局で構成される。監視局と上位局は、専用の通信フォーマットを用いて雨量、水位等のデータの通信を行っている。観測局の上位の局が監視局であり、監視局の更に上位の局が上位局であり、この上位局にも更に上位の地方整備局などが存在する。このような河川情報システムは、例えば図１に示されるように記載することができる。
【０００３】
ところで、上述のような河川情報システムにおいては、季節要因にて観測局を運用状態（開局）から休止状態（閉局）にする場合がある。例えば、冬期に雨量の観測を行わないため、雨量の観測局１ａを閉局する場合がある。この場合、閉局の設定は、図1の監視局２ａにて観測局１ａの休止の設定を行う。観測局１ａの休止設定が行われた監視局２ａは、観測局１ａに対してデータの収集を行わなくなる。さらに、監視局２ａは、上位局３に対して、観測局１ａのデータを送信しなくなる。
【０００４】
この場合、上位局３では、観測局１ａが閉局状態であるためデータが収集できない状態になるため、データを欠測扱いにするが、通常、データの欠測を回避するため、観測局１ａを閉局とした場合、上位局３も観測局１ａを閉局とし閉局中のステータス状態にする場合もある。
【０００５】
ところが、前述のように、監視局２ａ、上位局３にて非同期に閉局設定を行っているため、適切な連絡がとられるまでの間には、データ欠測状態となる問題が発生する。また、上位局３にて観測局１ａを閉局設定しない限りは、欠測状態が継続されることになる。
【０００６】
また、逆に監視局２ａにて観測局１ａを閉局状態から開局状態にする場合、上位局３にて観測局１ａを閉局設定から開局設定に変更しないと、観測局１ａのデータが、閉局状態のままとなり、データとして提供されない状態が継続することになる。また、雨量データなどでは、上位局３にて、前回データとの差分を用いて演算処理するデータを扱っている。この場合、上位局３において、観測局１ａが開局状態から閉局状態に状態変更したことや、閉局状態から開局状態に状態変更したことが分からない場合、閉局状態中の観測局１ａのデータが監視局２から収集されるため、実態と異なるデータを用いた演算がなされる問題が発生する。
【０００７】
このため、上述の河川情報システムでは、観測局１ａの閉開局状態が、監視局２ａと上位局３で、同期しないため、観測局１ａのステータス、及び演算データが実態と合わない問題が生じていた。装置の稼働／非稼働を開局閉局テーブルにより管理するネットワークシステムが知られているが、階層構造のシステムにおける開局閉局の設定に関する齟齬を解決することができるものではない（特許文献１参照）。
【特許文献１】特開平１１−２３４２９７号公報
【発明の開示】
【発明が解決しようとする課題】
【０００８】
本発明は上記のような情報収集システムの現状に鑑みてなされたもので、その目的は、観測局が閉局状態であるか又は開局状態であるかを示す局状態情報を監視局装置と二次上位局装置とにおいて適切に同期させ、安定的な情報収集及び修した情報を用いた処理を可能とする情報収集システム、それに用いられる監視局装置、二次上位局装置を提供することである。
【課題を解決するための手段】
【０００９】
本発明に係る監視局装置は、センサからの信号に基づきデータを収集して上位局に配信する複数の観測局に接続され、上記データを更に上位の局である二次上位局へ配信する監視局装置であって、前記観測局が閉局状態であるか又は開局状態であるかを示す局状態情報を入力するための操作部と、前記各観測局の局状態情報を保持し、前記操作部からの入力に基づき保持している局状態情報を変更する局状態情報管理部と、前記局状態情報管理部が保持している情報に基づき、閉局の観測局からのデータ収集を休止した状態で観測局からデータ収集を行うデータ収集部と、前記局状態情報管理部が保持している情報が前記操作部によって変更されたことを検出すると、変更された観測局の局状態情報を前記二次上位局へ送出する情報連絡部とを具備していることを特徴とする。
【００１０】
本発明に係る監視局装置では、前記情報連絡部は、前記二次上位局から観測局の局状態情報を取得し、この情報に基づき前記局状態情報管理部の情報を変更させることを特徴とする。
【００１１】
本発明に係る二次上位局装置は、センサからの信号に基づきデータを収集して配信する複数の観測局と、この観測局に接続され、上記配信されたデータを更に上位の局へ配信する監視局装置と、この監視局装置の上位局である二次上位局とにより構成される情報収集システムの、上記二次上位局に設けられる情報収集装置であって、前記観測局の局状態情報を入力するための二次上位局用操作部と、前記各観測局の局状態情報を保持し、前記二次上位局用操作部よって変更されたことを検出すると、変更された観測局の局状態情報を変更する二次上位局用局状態情報管理部と、前記監視局装置から観測局の局状態情報を取得し、この情報に基づき前記二次上位局用局状態情報管理部における対応観測局の局状態情報を変更させる二次上位局用情報連絡部とを具備していることを特徴とする。
【００１２】
本発明に係る二次上位局装置では、前記二次上位局用情報連絡部は、前記二次上位局用局状態情報管理部が保持している情報が前記二次上位局用操作部によって変更されたことを検出すると、変更された観測局の局状態情報を前記監視局装置へ送出することを特徴とする。
【００１３】
本発明に係る情報収集システムは、請求項１又は２に記載の監視局装置と、請求項３又は４に記載の二次上位局装置とを具備することを特徴とする。
【発明の効果】
【００１４】
本発明に係る監視局装置は、局状態情報管理部が保持している局状態情報が操作部により変更された場合に、変更された観測局の局状態情報が二次上位局へ送出されることになり、監視局装置と二次上位局が、観測局の局状態情報に関し、同じ情報を共有することができる。
【００１５】
本発明に係る監視局装置は、二次上位局から観測局の局状態情報を取得し、この情報に基づき局状態情報管理部の情報を変更させるので、監視局装置と二次上位局が、観測局の局状態情報に関し、同じ情報を共有することができる。
【００１６】
本発明に係る二次上位局装置は、監視局装置から観測局の局状態情報を取得し、この情報に基づき二次上位局用局状態情報管理部の情報を変更させるので、監視局装置と二次上位局が、観測局の局状態情報に関し、同じ情報を共有することができる。
【００１７】
本発明に係る二次上位局装置は、二次上位局用局状態情報管理部が保持している情報が二次上位局用操作部により変化されると、監視局装置へ変化があった観測局の局状態情報を送出するので、監視局装置と二次上位局が、観測局の局状態情報に関し、同じ情報を共有することができる。
【００１８】
本発明に係る情報収集システムは、請求項１又は２に記載の監視局装置と、請求項３又は４に記載の二次上位局装置とを具備しているので、監視局装置と二次上位局が、観測局の局状態情報に関し、同じ情報を共有することができる。
【発明を実施するための最良の形態】
【００１９】
以下、添付図面を参照して本発明に係る監視局装置と二次上位局装置及び、これらを用いて構成される情報収集システムの実施例を説明する。各図において同一の構成要素には同一の符号を付して重複する説明を省略する。本実施例に係る情報収集システムは、河川情報システムであり、雨量、水位等のデータを収集する少なくとも一つのテレメータ観測システムと、テレメータ観測システムからのデータを収集、加工、配信、外部提供する上位局により構成される。また、テレメータ観測システムは、データを観測する少なくとも一つの観測局と無線回線等で接続され観測局のデータを収集する一つの監視局で構成される。監視局と上位局は、専用の通信フォーマットを用いて雨量、水位等のデータの通信を行っている。観測局の上位の局が監視局であり、監視局の更に上位の局が上位局であり、この上位局にも更に上位の地方整備局などが存在する。したがって、ここでは、上記上位局をデータの発信源から見て二番目にあることから二次上位局と称する。図１に示されるように、複数の観測局１ａ〜１ｅが設けられ、これら複数の観測局１ａ〜１ｅは、雨量計や水位計などのセンサから雨量や水位などデータを収集する。
【００２０】
観測局１ａ〜１ｃは、上位の局である監視局２ａに接続され、観測局１ｄ〜１ｅは、上位の局である監視局２ｂに接続されている。監視局２ａ、２ｂは更に上位の局である上位局３に接続されて、上位局３は更に上位の地方整備局などに接続されている。
【００２１】
実施例に係る監視局２（２ａ、２ｂ）に設けられている監視局装置２０の構成を図２に示す。監視局装置２０には、観測局に接続され情報の収集を行うデータ収集部２１が備えられ、これ以外に通信部２２、局状態情報管理部２３、情報連絡部２４及び操作部２５が設けられている。通信部２２は、上位局３側とのデータ送受を行うものであり、上記データ収集部２１により収集されたデータなどが送受信される。
【００２２】
局状態情報管理部２３は、各観測局が閉局状態であるか又は開局状態であるかを示す局状態情報を保持し、操作部２５からの入力に基づき保持している局状態情報を変更する。操作部２５は、キーボードなどの入力装置であり、観測局の局状態情報を入力するためのである。
【００２３】
情報連絡部２４は、局状態情報管理部２３が保持している情報が前記操作部によって変更されたことを検出すると、変更された観測局の局状態情報を二次上位局へ送出するものである。更に、情報連絡部２４は、二次上位局から観測局の局状態情報を取得し、この情報に基づき局状態情報管理部２３の情報を変更させるものである。上記データ収集部２１は、局状態情報管理部２３が保持している情報に基づき、閉局の観測局からのデータ収集を休止した状態で観測局からデータ収集を行うものである。
【００２４】
上位局３に設けられる二次上位局装置３０には、図３に示されるように、二次上位局用操作部３１、二次上位局用局状態情報管理部３２、二次上位局用情報連絡部３３、通信処理部３４、データ蓄積部３５、データ演算部３６、データ表示部３７、データ配信部３８が備えられている。通信処理部３４は、監視局装置２０との間でデータの送受を行うものである。
【００２５】
通信処理部３４から監視局装置２０経由にて観測局が収集したデータが到来すると、このデータは観測局のＩＤや測定時刻等と共にデータ蓄積部３５に蓄積される。データ蓄積部３５に蓄積された上記データは、データ演算部３６により所定の演算処理がなされ、演算結果はその内容名称などと共にデータ蓄積部３５に蓄積される。この演算の際に二次上位局用局状態情報管理部３２の各観測局の局状態情報を参照する。このとき、閉局である観測局についてデータ演算を例えばスキップしてデータ演算を行う。データ表示部３７は、データ蓄積部３５のデータを用いて所要のときにデータ表示を行うものである。また、データ蓄積部３５に蓄積されたデータは、更に上位の局へデータ配信部３８によって配信されるように構成されている。
【００２６】
二次上位局用操作部３１は、観測局の局状態情報を入力するためのものである。二次上位局用局状態情報管理部３２は、各観測局の局状態情報を保持し、上記二次上位局用操作部３１よって変更されたことを検出すると、変更された観測局の局状態情報を変更するものである。
【００２７】
また、二次上位局用情報連絡部３３は、監視局装置２０から観測局の局状態情報を取得し、この情報に基づき上記二次上位局用局状態情報管理部３２の情報を変更させるものである。更に、二次上位局用情報連絡部３３は、上記二次上位局用局状態情報管理部３２が保持している情報が二次上位局用操作部３１によって変更されることを監視して変化を検出すると、変化があった観測局の局状態情報を通信処理部３４から監視局装置２０へ送出するものである。
【００２８】
以上の通りに構成されたシステムにおいては、観測局の局状態情報について監視局装置２０においても、また二次上位局装置３０においても閉局と開局の変更が可能なものであり、それぞれの場合に、図４、図５に示すフローチャートに対応する処理が行われるので、このフローチャートに基づき動作を説明する。
【００２９】
図４は監視局装置２０における動作を示したものである。局状態情報管理部２３は、操作部２５により観測局の局状態情報が入力されたのか監視している（Ｓ１１）。操作部２５により局状態情報の変更入力がなされると、局状態情報管理部２３が保持している上記観測局の局状態情報を変更する（Ｓ１２）。これにより、図４の右側のフローチャートに示すように、データ収集部２１は、局状態情報管理部２３に保持された観測局の局状態情報を参照し、閉局である観測局についてデータ収集を休止としてデータ収集を行っている（Ｓ２１）。データ収集部２１は、局状態情報管理部２３において変更された観測局の局状態情報を参照し、閉局である観測局についてデータ収集を休止としてデータ収集を行う（Ｓ２２）。
【００３０】
上記ステップＳ１２に次いで、情報連絡部２４は、上記局状態情報管理部２３において情報が変更されたことを検出して通信部２２を介して二次上位局装置３０へ上記の変更された観測局の局状態情報を送信する（Ｓ１３）。更に、情報連絡部２４は、通信部２２を介して二次上位局装置３０から観測局の局状態情報が到来したのかを検出しており（Ｓ１４）、局状態情報が到来すると、この情報を局状態情報管理部２３へ渡す。これにより、上記情報を受け取った局状態情報管理部２３は、保持している上記観測局の局状態情報を変更する（Ｓ１５）。
【００３１】
上記ステップＳ１５における変更がなされた以降において、データ収集部２１は、局状態情報管理部２３において変更された観測局の局状態情報を参照し、閉局である観測局についてデータ収集を休止としてデータ収集を行う（Ｓ２２）。
【００３２】
一方、二次上位局装置３０においては、図５に示されるフローチャートに対応する動作が行われる。二次上位局用局状態情報管理部３２は、二次上位局用操作部３１により観測局の局状態情報が入力されたのか監視している（Ｓ３１）。二次上位局用操作部３１により局状態情報の変更入力がなされると、二次上位局用局状態情報管理部３２が保持している上記観測局の局状態情報を変更する（Ｓ３２）。これにより、図５の右側のフローチャートに示すように、データ演算部３６は、二次上位局用局状態情報管理部３２に保持された観測局の局状態情報を参照し、閉局である観測局についてデータ演算をスキップしてデータ演算を行っている（Ｓ４１）。データ演算部３６は、二次上位局用局状態情報管理部３２において変更された観測局の局状態情報を参照し、閉局である観測局についてデータ演算をスキップしてデータ演算を行う（Ｓ４２）。
【００３３】
上記ステップＳ３２に次いで、二次上位局用情報連絡部３３は、上記二次上位局用局状態情報管理部３２において観測局の局状態情報が変更されたことを検出して通信処理部３４を介して監視局装置２０へ上記の変更された情報を送信する。更に、二次上位局用情報連絡部３３は、通信処理部３４を介して監視局装置２０から観測局の局状態情報が到来したのかを検出しており（Ｓ３４）、局状態情報が到来すると、この情報を二次上位局用局状態情報管理部３２へ渡す。これにより、上記情報を受け取った二次上位局用局状態情報管理部３２は、保持している上記観測局の局状態情報を変更する（Ｓ３５）。
【００３４】
上記ステップＳ３５における変更がなされた以降にも、データ演算部３６は、局状態情報管理部２３において変更された観測局の局状態情報を参照し、閉局である観測局についてデータ演算をスキップしてデータ演算を行う（Ｓ４２）。
【００３５】
本実施例では、以上の通りに構成されているので、監視局装置２０と二次上位局装置３０のいずれかにおいて観測局の局状態情報を変更した場合に、他方の装置に的確に反映され、本来されるべきではないデータ収集が行われたり、データ収集がお粉われっていないにも拘らずデータ演算が行われたりすることを適切に防止することができるようになる。このため、データを用いた処理や発表に誤りが生じる事態を防止することが可能である。
【図面の簡単な説明】
【００３６】
【図１】本発明に係る情報収集システムの実施例を示すブロック図。
【図２】本発明に係る監視局装置の実施例を示すブロック図。
【図３】本発明に係る二次上位局装置の実施例を示すブロック図。
【図４】本発明に係る監視局装置の実施例の動作を説明するためのフローチャート。
【図５】本発明に係る二次上位局装置の実施例の動作を説明するためのフローチャート。
【符号の説明】
【００３７】
２０  監視局装置
２１  データ収集部
２２  通信部
２３  局状態情報管理部
２４  情報連絡部
２５  操作部
３０  二次上位局装置
３１  二次上位局用操作部
３２  二次上位局用局状態情報管理部
３３  二次上位局用情報連絡部
３４  通信処理部
３５  データ蓄積部
３６  データ演算部
３７  データ表示部
３８  データ配信部
【図１】
2010109836.tif 000003
【図２】
2010109836.tif 000004
【図３】
2010109836.tif 000005
【図４】
2010109836.tif 000006
【図５】
2010109836.tif 000007